(57)【要約】【解決手段】  地面の上に、地面に対して低い高さで快適に座るための支援椅子を開示する。好ましくは、この椅子は、第１の着座面と、当該第１の着座面の後部周辺で局面を描く第２の着座面を具え、ユーザに更なる支持を提供する。第２の着座面は、内側および下側に傾斜しており、ユーザに低い位置で横方向の境界を提供し、これによって、第１の着座面の上の臀部の正しい整合を促進する。従って、この椅子は、ユーザの臀部および腰を着座レベルから持ち上げて、腰と脚部間の相対的な高低差を作る。このように脚部に対して腰を持ち上げることで、縦方向における背骨の整合を促進する着座姿勢を作る。この結果、ユーザは、背筋の歪を低減してこの姿勢を快適に維持することができ、着座期間を快適に長く取ることができる。【選択図】      なし【特許請求の範囲】
【請求項１】
地面あるいはその他の着座レベル近傍あるいは若干上方のレベルでの着座を支援する装置において、当該装置が：
第１及び第２の一体的に形成した着座エレメントであって、前記第１の着座エレメントが第１の着座面を具え、前記第２の着座エレメントが前記第１の着座面の上方にあり、周りにあり、および第１の着座面に対して角度を成す第２の着座面を具える、第１及び第２の着座エレメントと；
前記着座レベルの上で前記第１及び第２の着座エレメントを支持する少なくとも一の支持構造と；
を具え、
前記第２の着座エレメントが、外側および内側周辺エッジを有する一般的なリング状構造を具え、前記第２の着座面が前記外側エッジから前記内側エッジへ下側へ向けて角度をなしており、
前記第２の着座面が、前記第１の着座面の前側エッジの左側サイドと前記第１の着座面の右側サイドが交差する左側および右側リニア連結セグメントに沿って前記第１の着座面と隣接する；
ことを特徴とする装置。
【請求項２】
請求項１に記載の装置において、前記支持構造が、前記第１の着座面の分布した支持を提供するような形状であることを特徴とする装置。
【請求項３】
請求項２に記載の装置において、前記支持構造の少なくとも一つが、前記第１の着座面の後側エッジと交差しており、更に、前記第１の着座面と前記第２の着座面を連結していることを特徴とする装置。
【請求項４】
請求項２に記載の装置において、前記少なくとも一の支持構造が、前記第１の着座エレメントを前記着座レベルの上に、約１ないし４インチの範囲の距離をおいて支持していることを特徴とする装置。
【請求項５】
請求項１に記載の装置において、前記左側及び右側のリニア連結セグメントが、前記第１の着座面の中心付近で交差するライン上にあることを特徴とする装置。
【請求項６】
請求項１に記載の装置において、前記少なくとも一の支持構造が調整可能であることを特徴とする装置。
【請求項７】
請求項１に記載の装置において、前記第１の着座面が第１の平面内にほぼ位置し、前記第２の着座面が前記椅子の中心に向けて下側に傾斜しており、前記内側周辺エッジが第２の平面内にほぼ位置し、前記外側周辺エッジが第３の平面内にほぼ位置し：
前記第２及び第１の平面が、前記第１の着座エレメントの前側に傾斜した部分に平面に平行なラインに沿って交差しており；
前記第３及び第１の平面が、前記第１の着座エレメントの前記前側に傾斜した部分の前記平面に平行なラインに沿って交差しており；
前記第３及び前記第１の平面が交差する前記ラインが、前記第２及び第１の面が交差するラインの前側であり；
前記第１及び第２の平面間に形成された角度が、前記第１及び第３の平面間に形成された角度より小さいこと；
を特徴とする装置。
【請求項８】
請求項７に記載の装置において、前記外側周辺エッジと前記第１の着座エレメントの前側エッジが、完全な円が隣接するセグメントを具えることを特徴とする装置。
【請求項９】
請求項１に記載の装置において、前記装置が平面シートに折りたたみ可能であることを特徴とする装置。
【請求項１０】
椅子において：
着座レベルにほぼ平行な第１の着座台であって、前側エッジと、後側エッジと、左側サイドおよび右側サイドを具える前記第１の着座台と；
前記第１の着座台を取り囲む第２の着座台であって、外側周辺エッジと、内側周辺エッジとを具え、前記内側周辺エッジが、ほぼ楕円形部分を具え、前記第２の着座台が前記第１の着座台に対して下方および前方に角度を成しており、前記第２の着座台が、前記前側エッジの左側サイドと前記前側エッジの右サイドが交差する左右のリニア連結セグメントに沿って前記第１の着座台に隣接している、第２の着座台と；
前記前側エッジに沿って前記第１の着座台に隣接する第３の着座台であって、左側サイドと、右側サイドと、後側エッジと、前側エッジを具え、前記第３の着座台の前記後側エッジが前記前側エッジに隣接しており、前記第３の着座台が前記第１の着座台の下および前側に角度をなしている、第３の着座台と；
前記第１の着座台を地面の上方に持ち上げるように動作する支持構造と；
を具えることを特徴とする椅子。
【請求項１１】
請求項１０に記載の椅子において、前記支持構造が、ユーザが正座姿勢にあるときに、前記第２の着座面の左側及び右側サイドの下にユーザの踵が入り込むように十分な高さで前記第１の着座面を支持しており、前記第１の着座面の前記左右のサイドが、正座姿勢で座っているユーザの踵が前記第２の着座面の下に合致するように切り取られていることを特徴とする椅子。
【請求項１２】
請求項１０に記載の椅子において、前記支持構造が少なくとも３本の脚部を具え、当該脚部が前記第１の着座台を分散支持するように構成されていることを特徴とする椅子。
【請求項１３】
請求項１２に記載の椅子において、前記脚部の少なくとも一つが、前記第１の着座台の後側エッジと交差し、前記脚部が更に、前記第１の着座台を前記第２の着座台にしっかり連結していることを特徴とする椅子。
【請求項１４】
請求項１２に記載の椅子において、前記脚部が前記着座レベルの上で前記第１の着座台を、約１ないし４インチの範囲の距離で支持していることを特徴とする椅子。
【請求項１５】
請求項１０に記載の椅子において、前記左右のリニア連結セグメントが、前記第１の着座台のほぼ中央で交差するライン上にあることを特徴とする椅子。
【請求項１６】
請求項１０に記載の椅子において、前記支持構造が調節可能な脚部を具えることを特徴とする椅子。
【請求項１７】
請求項１０に記載の椅子において、前記第１の着座台が、第１の平面内にほぼ延びており、前記第２の着座台が前記椅子の中央の下方に傾斜しており、前記内側周辺エッジが第２の平面内にほぼ延びており、前記外側周辺エッジが第３の平面内にほぼ延びている椅子において：
前記第２及び第１の平面が、前記第１の着座台の前記前側エッジの平面に平行な線に沿って交差しており；
前記第３及び第１の平面が、前記第１の着座台の前記前側エッジの前記平面に平行な線に沿って交差しており；
前記第３及び第１の平面の交差する前記ラインが、前記第２及び第１の平面が交差する前記ラインの前側にあり；及び
前記第１及び第２の平面間に形成される角度が、前記第１及び第３の平面間に形成される角度より小さい；
ことを特徴とする椅子。
【請求項１８】
請求項１０に記載の椅子において、前記第３の着座台の外側周辺エッジと前記前側エッジが、完全な円形がほぼ隣接するセグメントを具えることを特徴とする椅子。
【請求項１９】
請求項１０に記載の椅子において、前記第２の着座台が、搬送エレメントとして作用するように構成されていることを特徴とする椅子。
【請求項２０】
請求項１０に記載の椅子において、前記椅子が平面シートに折りたたみ可能であることを特徴とする椅子
【発明の詳細な説明】
【技術分野】
【０００１】
本発明は健康的にかつ矯正的に着座するための装置に関する。特に、本発明は、瞑想用の椅子、あるいは背中の矯正を促進し、姿勢を低くして、より一層の快適さを提供する従来の着座用椅子に関する。
【背景技術】
【０００２】
瞑想するときの伝統的な形には、二つの第１の着座姿勢がある。一つは蓮花座であり、もう一つは正座である。蓮花座（図６に示す）では、人の足を組み合わせて、腰の前に置く。もう一つの姿勢は、正座として知られており、人が踵の上に臀部をのせてひざまずく形になる（図５に示す）。筋肉、骨あるいは関節が複雑な位置関係にあるため、瞑想に従事することを望む多くの人、特に初心者には、いずれのポーズでも、足に痛みを感じることなく、あるいは足の循環を制限することなく、長時間座ることが難しい。従って、椅子あるいはクッションなどの多くの着座補助具が開発され、これらの従来のポーズの一方を用いて瞑想するという人の願望を支援している。
【０００３】
例えば、伝統的に、低い、筒状の蕎麦殻を詰めたクッションが、瞑想する間に用いられてきた。ほぼ肩幅のクッションは、人が蓮花座での着座を支持するのに使用することができ、一方、若干小さいクッションは正座する人を支えることができる。しかしながら、時間がたつと、蕎麦殻が劣化して、支持の度合いが低減してしまう。更に、これらの蕎麦殻クッションは、大きく、重く、いくらか扱いにくいため、持ち運びと効率的な保管の妨げになる。
【０００４】
最近では、緻密な発泡体や木材ブロックを用いて、蓮花座で座る人を支持するようにしている。これら、あるいは、Ｃｏｎｗａｙらに付与された米国特許第５，８７６，０９８号に開示されているような低い椅子などのその他の代替は、蓮花座での使用に限られており、また、そのサイズのために搬送が困難である。
【０００５】
同様に、臀部を支持するのに十分に広い水平な台でできており、当該台の対向する端部にある二本の縦方向の脚部によって地面から上がっているベンチを用いて、正座する人を補助するようにしている。これによって、臀部を踵の上に置いて正しく縦方向に整合させることが可能となり、人の体重によって踵や下肢にかかる圧力を排除することができる。しかしながら、このようなベンチの高さは、踵に必要なクリアランスのために、通常非常に高く、人の膝に過剰な体重がかかることになる。このため、長時間瞑想する間に膝に不快感が生じる。
【０００６】
地面に座るためのその他の椅子も存在する。これらの椅子のいくつかは、地面に直接おかれる直角の支持部でできており、通常クッションが設けられている。しかしながら、これらの椅子は、臀部と脚部間に高さの差を提供するものではなく、背骨に不適切な整合を引き起こす。
【０００７】
従って、持ち運び可能で、異なる構成で、普通に地面に座る場合と蓮花座または正座での瞑想のいずれにも用いることができ、ユーザが長時間快適に座ることができる椅子が求められている。本発明はこれらのニーズに合致するものである。
【発明の開示】
【発明が解決しようとする課題】
【０００８】
これらの明白な必要性をかんがみて、本発明の目的は、良い姿勢を促進する椅子であって、臀部の高さを適正にし、また、下側の背骨を正しいカーブにする椅子を提供することである。
【０００９】
本発明の目的は、蓮花座あるいは正座のいずれかに異なる高さで用いることのできる瞑想用椅子を提供することである。
【００１０】
本発明の目的は、使用者の下肢と踵に過剰な圧力がかからない椅子を提供することである。
【００１１】
本発明の目的は、快適であり、長期間持続可能な着座位置を提供することである。
【００１２】
本発明の目的は、射出成型可能であり、経済的に製造することができる椅子を作ることである。
【００１３】
本発明の目的は、積み重ねることのできる椅子を作ることである。
【００１４】
本発明の目的は、審美学的に楽しく、アクセント家具の一つとして使用することができる椅子を作ることである。これらの同じラインに沿って、本発明は、様々な色、パターン、スタイル、材料、その他で、容易に製造することができる。
【００１５】
本発明の目的は、人が容易に搬送でき、軽量で、低プロファイルの椅子を提供することである。
【００１６】
本発明の目的は、スツールあるいは通常の椅子の上で使用することができ、瞑想以外の姿勢で正しい姿勢を促進する椅子を提供することである。
【００１７】
本発明の目的は、地面の上で子供が正しい姿勢で座るのに使用できる椅子を提供することである。この椅子は、子供のサイズに合わせてサイズを小さくしたものになる。
【００１８】
本発明の目的は、限定するものではないが、スポーツイベント、狩猟、釣り、あるいはキャンピングなどを含むアウトドアでの活動に用いることのできる椅子を提供することである。
【００１９】
本発明の目的は、地上、床あるいは所望の着座レベルで快適に座ることを望んでいる人に使用することができる椅子を提供することである。
【００２０】
本発明の目的は、保存及び／又は搬送を容易にするべく、組み立て可能及び／又は折り畳み可能な（例えば、平坦なシートに）椅子を提供することである。
【００２１】
本発明の目的は、脚部が伸張可能、組み立て可能、折り畳み可能、その他である様々な脚部構造をした上述の椅子を提供することである。
【００２２】
本発明のその他の目的、特徴、および特性、同様に、その構造に関連する要素を動作させる、及び機能させる方法、及び部品の組み合わせと製造の経済性は、図面を参照して以下の詳細な説明を考慮することでより明らかになるであろう。図面も詳細な説明もすべて本明細書の一部をなすものである。  
【課題を解決するための手段】
【００２３】
本発明は、地面、床あるいは所望の着座レベルの上、およびこれらに対して低い高さで快適に座ることを望む人を支援する椅子に関する。一般的に、この座は、ユーザの臀部および腰を着座レベルから持ち上げて、ユーザの腰と脚部間に相対的な高低差を作る。このような脚部に対して腰を持ち上げることで、背骨の整合を促進する着座姿勢を作る。ユーザの下側の背骨が若干前側へカーブするように押され、背骨の正しい姿勢を提供する。この結果、ユーザは、背筋の歪量を低減してこの位置を好適に維持することができ、快適な着座期間を長く取ることができる。
【００２４】
好ましくは、本発明にかかる椅子は、地面、床あるいは所望の着座レベルに対する様々な高さのうちのいずれの高さで作られていても良く、サイズの異なるユーザと、異なる所望の着座方法を受け入れることができる。選択的に、高さを調節可能な椅子を構成することもできる。この高さは、単に脚部の長さあるいは位置を調整することによって変化させることができる。例えば、瞑想的な着座姿勢の二つの第１のスタイルは本発明によって支持される。蓮花座あるいは足を組んで座る姿勢は、より低い座の高さによって支持される。ユーザの足が膝で折りたたまれ、ふくらはぎの上に大腿が位置する正座の姿勢は、第１の着座面を独自に設計すると共に、座の高さを若干高くすることによって支持できる。
【００２５】
第１の着座面の特別な切取り部分の設計によって、正座姿勢で座っている間、ユーザは踵を臀部の下に押し込むことができる。第１の着座面に沿ってカーブした背面サポートが、ユーザの体重の大部分を支持している。これによって、人が臀部から踵に圧力がかかることなく座ることができる。この切取り部分の設計は、また、椅子を搬送するのに都合が良い。
【００２６】
この椅子は、又、異なる径で製造して、サイズの異なるユーザの便宜を図ることができる。小さい椅子は、家庭や学校といった様々な場所で、子供が使用することができ、快適にまた正しい姿勢を保って座ることができる。
【００２７】
本発明による椅子は、選択的に、着座面に取り付けたクッションを具え、更なる快適さと、支持と、スタイルを提供することができる。
【００２８】
本発明は、常用することもできるし、又、標準的な椅子の座への追加として、ユーザの姿勢と背骨の整合を改善するために使用することもできる。正しい腰の高さは、快適さと長時間の着座に必要な、下側の背骨を若干前側にカーブさせる。
【００２９】
製造に用いられる材料に依存して、本発明は、第１および第２の着座面を連結する補助的な構造支持を具えていても、具えていなくても良い。
【発明を実施するための最良の形態】
【００３０】
本発明の詳細な実施例をここに開示する。しかしながら、本発明にかかる技術、システム、および動作構造は、様々な広い形式、モードで具現化することができ、これらのうちのいくつかは、ここに開示された実施例の技術、システム、動作構造とは非常に異なることがある。従って、ここに開示されている特定の構造的及び機能的な詳細は、単に代表的なものにすぎず、むしろこの点に関しては、開示の目的のために最良の実施例を提供し、本発明の範囲を規定する特許請求の範囲の基礎を提供するものと考えられる。以下に、本発明の好ましい実施例（同様に、いくつかの代替の実施例）の詳細な説明を行う。
【００３１】
まず、図１−４を参照すると、本発明にかかる椅子の好ましい実施例が記載されている。本発明の好ましい実施例では、椅子１は、ユーザが接触する第１の着座面２であって、この面は椅子が配置される地面または床に対して水平であるか、または若干の角度が付けられている。第１の着座面２の後部周辺にあり、カーブしている第２の着座面３は、ユーザの臀部に更なる支持を提供している。第２の着座面３は、内側および下側に向けて傾斜しており、ユーザに対して低い横方向の境界を提供し、これによって、第１の着座面２の上で臀部の正しい整合を促進している。
【００３２】
好ましい実施例では、第２の着座面３は、内側周辺エッジ１７と外側周辺エッジ１８によって境界が設けられており、ここで内側周辺エッジ１７は、長軸ｆと短軸ｇを有する楕円部分に近い形をしている。長軸ｆの短軸ｇに対する比は、好ましくは、１以上であり、３未満である。図３に示すように、破線１６は、内側周辺エッジ１７による実際には完成していない楕円の欠けた部分を示す。この破線１６は、椅子の実際のピースを表すものではなく、短軸の大きさｇの基準となる端部ポイントを提供するためだけのものである。
【００３３】
好ましくは円形または楕円形であるが、外側周辺エッジ１８の形状は、内側周辺エッジ１７と外側周辺エッジ１８間の最小距離が快適さと支持を提供するのに十分であるようにした上で、審美的な考察によって決めることができる。好ましい実施例では、内側周辺エッジ１７と外側周辺エッジ１８の間の最小距離が少なくとも０．５インチである。
【００３４】
好ましくは、サポート５、６が第２の着座面３を第１の着座面２と後側脚部７、８につなぎとめている。製造する際の材料によっては、これらのサポート５、６は省略して、片もち支持構造の第２の着座面３としてもよい。追加の脚部１１、１２が第１の着座面２のサポートを提供する。代替的に、サポート５、６および後側脚部７、８を単一構造にしてもよい。
【００３５】
代替の実施例において、追加の脚部１１、１２と、後側脚部７、８は、異なる構造または高さを有する。例えば、脚部７、８、１１、１２は、別のエクステンション脚部あるいは入れ子式機構を介して延在可能である。更に、脚部７、８と脚部１１、１２は、地面にかかる圧力を低減して、柔らかな地面に椅子１が沈み込まないように、あるいは美しく仕上げた床を傷つけないように、大きなベース面を有する単一のエレメントであってもよい。更に、脚部７、８、１１、１２は、折りたたみ式あるいは組み立て式にして、第１の着座面２または第３の着座面４の面内に折りたためるようにしてもよい。更に、脚部７、８、１１、１２は、アーチ形状、筒型、矩形、テーパ形状、などの様々な形状を具えていても良い。
【００３６】
サポート５、６（あるいはこれと均等物）が存在しない、片持ち支持構造の実施例においては、外側周辺エッジ１８の形状は、片持ち支持構造の第２の着座面３の所望の剛性によって部分的に決まる。片持ち支持構造ばね比は、第２の着座面３の上に支持される着座したユーザの体重の一部によって提供される負荷の下に、いくらか自己整合するように選択することができる。
【００３７】
図３及び図４に示す本発明の好ましい実施例によれば、第３の着座面４が、下側に傾斜して第１の着座面２の前側から離れており、ユーザの足が臀部（図５および６に示すように、第１の着座面の上に位置する）から離れて床、地面あるいはその他の着座レベルの下へ快適に延在する。第１の着座面２と椅子の前側エッジ間のこの傾斜した変位４は、椅子１の前側エッジにおいてユーザの足へのサポートを徐々に変位させ、これによって、長時間座っているユーザの足の血液およびリンパ液の流れの制限を低減する。更に、図４は、片持ち支持構造の第２の着座面３と整列している第３の着座面４を示しているが、これは必ずしも必要ではない。すなわち、椅子１は、第３の着座面４が片持ち支持構造の第２の着座面３に対していくらか角度をなすように構成することができる。
【００３８】
シートの高さを十分に高くして使用する場合、第１の着座面２の後部側からの丸い切取り部分９、１０によって、ユーザは、膝を曲げて座った姿勢にあるときに踵を臀部の下に押し込むことができる。第１の着座面の高さが持ち上がっていることと、切取り部分９、１０によって、ユーザは膝を曲げて座った姿勢にある間に、臀部によって踵にわずかな体重がかかるかあるいはまったく体重がかかることなく、快適に座ることができる。
【００３９】
更に、椅子１は、第２の着座面３と第３の着座面４が、角度ｅがほぼゼロになり、互いに対して平坦になるように折りたたみ可能であってもよい。例えば、第２の着座面３と第３の着座面４を、ヒンジ機構を介して第１の着座面２に連結してこれらの着座面がほぼ共通面になるようにしても良い。さらに、椅子１は、脚部７、８、１１、１２が第１の着座面２の面内に折りたたまれるあるいは組み立てられるように構成することもできる。
【００４０】
上述の好ましい実施例は、複数部品でできている椅子であっても良い。しかしながら、本発明の代替の実施例は、射出成型などのあらゆる公知のプロセスを通じて製造することのできる単一の複合ピースでできていても良い。
【００４１】
図３および４を参照すると、例示としてここに説明した本発明の好ましい実施例によって製造した椅子は、以下の大きさ及び／又は角度を有する。（ａ）は１１インチ；（ｂ）は４インチ；（ｃ）は４．２５インチ；（ｄ）は１．７５インチ；（ｅ）は１２．８度；（ｆ）は１１インチ；および（ｇ）は６．５インチである。もちろん、これらのサンプルの大きさ及び／又は角度のいくつか、あるいはすべては、高さ、幅、奥行き、全体のサイズ、着座サイズ及び／又は形状、その他を変更して異なる椅子を作ることができる。これらは、限定するものではないが、使用しようとしているユーザのサイズを含めて、いろいろな理由で変更される。
【００４２】
本発明の別の代替の実施例では、第１の着座面２及び／又は第２の着座面３の上にクッションまたはスポンジパッドを取り付ける手段が含まれていていも良い。このようなクッションは、糊付け、ステープル、釘、縫合などの様々な方法で正しい位置に固定することができ、あるいは、ベルクロ（登録商標）や、その他の同様のホックおよびループタイプのファスナ装置、あるいはその他の非永久的な取り付け手段によって、取り外し可能に取り付けるようにしても良い。
【００４３】
上述した詳細な説明は、理解を明確にするためだけのものであり、不要な限定と解釈すべきでない。本発明は、本発明を完全に開示する目的でかなり詳細に記載した、好ましい実施例といくつかの代替例を参照して説明されているが、これらの実施例は単に例示のためのものであり、限定を意図したものでも、本発明の全ての態様を徹底的に列挙したものでもない。従って、本発明の範囲は、特許請求の範囲によってのみ規定されるべきである。さらに、本発明の精神と原理から離れることなく、この詳細に様々な変更を成すことは、当業者には自明であろう。本発明は、本質的な特徴から離れることなくその他の形式で具現化することが可能である。
【図面の簡単な説明】
【００４４】
本発明の更なる理解は、添付の図面に記載された好ましい実施例を参照することによって得られる。図に示す実施例は、本発明を実行するシステムの単なる例示に過ぎないが、本発明の操作の組織および方法の双方共、通常、本発明のさらなる目的と利点と共に、図面と以下の説明を参照することによってより容易に理解することができる。図面は、添付のあるいは順次補正した特許請求の範囲に特に記載されている本発明の範囲を限定することを意図したものではなく、本発明を明確にし、例示するためだけのものである。
例えば、本発明のより完全な理解のために、以下の図面が参照される。
【図１】図１は、本発明に係る椅子の好ましい実施例の斜視図である。
【図２】図２は、図１に示す椅子の背面図である。
【図３】図３は、図１に示す椅子の平面図である。
【図４】図４は、図１に示す椅子の右側面図である。
【図５】図５は、正座姿勢で使用されているときの、図１ないし４に示す椅子の側部斜視図である。
【図６】図６は、蓮花座姿勢で使用されているときの、図１ないし４に示す椅子の側部斜視図である。
【符号の説明】
【００４５】
１…高さの低い椅子
２…地面にほぼ平行な第１の着座面
３…内側および外側周辺エッジが個別に平坦であり、これらのエッジを連結する傾斜面を有する、第２の着座面
４…第３の着座面
５…３を２に連結するサポート
６…３を２に連結するサポート
７…後部、右側脚部
８…後部、左側脚部
９…右側踵切取り部分
１０…左側踵切り取り部分
１１…前部、右側脚部
１２…前部、左側脚部
１３…２と３の間の右側ラインセグメントインターフェース
１４…２と３の間の左側ラインセグメントインターフェース
１５…３と４の間のラインセグメントインターフェース
１６…ほぼ楕円形
１７…３の内側周辺エッジ
１８…３の外側周辺エッジ
１９…４の前側エッジ
２０…高さが高い椅子の形状、臀部の下方に十分な下肢用クリアランスがある
【図１】
2007510500.tif 000002
【図２】
2007510500.tif 000003
【図３】
2007510500.tif 000004
【図４】
2007510500.tif 000005
【図５】
2007510500.tif 000006
【図６】
2007510500.tif 000007
【国際調査報告】
2007510500.tif 000008